(57)【要約】【課題】身障者の行き先階ボタンの押し間違えを抑制し、エレベータの運転効率を向上させる。【解決手段】健常者用押しボタン２２と、健常者用押しボタン２２に隣接して設けられ、表面に行き先階の点字２５が設けられている身障者用押しボタン２４と、を含むエレベータ操作盤２０と、行き先階の登録とかごの昇降動作とドアの開閉を行うエレベータ制御部を備えるエレベータであって、エレベータ操作盤の身障者用押しボタン２４と健常者用押しボタン２２とは、身障者用押しボタン２４が押し下げられた場合には身障者用押しボタン２４と健常者用押しボタン２２とが連動して押し下げられ、健常者用押しボタン２２が押し下げられた場合には、健常者用押しボタン２２のみが押し下げられるように機械的に係合している。【選択図】図２
2012218816.tif 000002
【特許請求の範囲】
【請求項１】
かごに取り付けられ、行き先階の選択を行う健常者用押しボタンと、健常者用押しボタンに隣接して設けられ、表面に行き先階の点字が設けられている身障者用押しボタンと、を含むエレベータ制御盤と、
前記エレベータ制御盤から入力される信号によって行き先階が登録され、登録された行き先階に向ってかごの昇降動作をさせると共に登録された行き先階においてかごのドアを開閉させるエレベータ制御部を備えるエレベータであって、
前記エレベータ制御盤の前記身障者用押しボタンと前記健常者用押しボタンとは、前記身障者用押しボタンが押し下げられた場合には前記身障者用押しボタンと前記健常者用押しボタンとが連動して押し下げられ、前記健常者用押しボタンが押し下げられた場合には、前記健常者用押しボタンのみが押し下げられるように機械的に係合していること、
を特徴とするエレベータ。
【請求項２】
請求項１に記載のエレベータであって、
エレベータ制御部は、前記エレベータ制御盤から身障者用押しボタンが押し下げられた信号が入力された場合には、その行き先階を身障者運転階として登録し、健常者用押しボタンが押し下げられた場合には、その行き先階を健常者用運転階として登録し、前記エレベータ制御盤から身障者用押しボタンが押し下げられた信号が２回連続して入力された場合には、その行き先階の登録及びその階での身障者運転をキャンセルし、健常者用押しボタンのみが押し下げられた信号が２回連続して入力された場合には、その行き先階の登録のみをキャンセルすること、
を特徴とするエレベータ。
【請求項３】
請求項１に記載のエレベータであって、
前記エレベータのかごの内部に取り付けられたスピーカを含み、
前記エレベータ制御部は、前記エレベータ制御盤から身障者用押しボタンが押し下げられた信号が入力された場合には、前記スピーカから身障者用運転階として登録あるいはキャンセルされた行き先階のアナウンスを行うこと、
を特徴とするエレベータ。
【発明の詳細な説明】
【技術分野】
【０００１】
本発明は、エレベータのかごに設けられる操作盤の構造に関する。
【背景技術】
【０００２】
エレベータのかごの内壁には、かごの行き先階の選択を行う行き先階ボタンが設けられている。この行き先階ボタンを押すと、スイッチが連動してかごの行き先階がエレベータの制御装置に登録されると共に、登録された行き先階を表示するインジケータが点灯したり、行き先階ボタンの内部に取り付けられたランプが点灯して登録された階の行き先階ボタンを照明したりするよう構成されている。そして、エレベータの制御装置は、かごのドアを閉として登録された行き先階に向ってエレベータを昇降させる。登録された行き先階に到着すると、エレベータ制御装置は、かごのドアを開とし、所定の開時間だけドアを開状態に保った後、ドアを閉とし、次に登録されている行き先階に向って移動していく。
【０００３】
一方、エレベータには健常者のほか、身障者も搭乗する。例えば、車椅子を使用している身障者は、健常者と同様のエレベータの乗降が難しいことから、かごの内側面の低い位置に副操作盤を取り付け、副操作盤の行き先階ボタンを選択することによって行き先階が登録された場合には、身障者が搭乗しているものと判断して、エレベータ制御装置は、ドアの開スピードを遅くしたり、ドアの開保持時間を長くしたりする身障者用運転を行う。
【０００４】
エレベータには身障者と健常者が同乗する場合があるが、副操作盤を操作したのが健常者なのか身障者なのかの区別がつきにくく、後から乗り込んだ一般利用者にとってはエレベータのドアの開スピードが遅くなったり、ドアの開保持時間が長くなったりしてエレベータの運転効率が悪くなってしまう場合があった。
【０００５】
このため、行き先階ボタンの横に行き先階を示す点字銘板を取り付け、利用者が点字銘板に触れてから所定の時間内に行き先階ボタンを押した場合には、身障者が行き先階ボタを押したと判断してその行き先階では身障者用運転を行い、利用者が点字銘板に触れずに行き先階ボタンを押した場合には、その行き先階では健常者用運転を行い、身障者の乗降の利便性を保つと共に、健常者にとってエレベータの運転効率が良くなるようにする方法が提案されている（例えば、特許文献１参照）。
【先行技術文献】
【特許文献】
【０００６】
【特許文献１】特開２００３−３３５４６０号公報
【発明の概要】
【発明が解決しようとする課題】
【０００７】
ところで、エレベータには停止した各階で利用者が乗ってくる。特許文献１に記載された従来技術のエレベータでは、いずれの階が身障者の登録した行き先階であるかの区別がつきにくく、ある階に停止した際に身障者に道を明けたり、ドアの開保持ボタンを押したりする配慮を行うことが難しい。また、逆に、その階が一般利用者の登録した行き先階であっても、ドアの閉ボタンを押してドアの開時間を短くし、エレベータの運転効率を上げることも難しいという問題があった。また、特許文献１に記載されている従来技術では、点字銘板の位置と行き先階ボタンの位置がずれていることから、身障者が触れた点字銘板と異なる行き先階ボタンを押してしまうという場合があるという問題があった。
【０００８】
本発明は、身障者の行き先階ボタンの押し間違えを抑制し、エレベータの運転効率を向上させることを目的とする。
【課題を解決するための手段】
【０００９】
本発明のエレベータは、かごに取り付けられ、行き先階の選択を行う健常者用押しボタンと、健常者用押しボタンに隣接して設けられ、表面に行き先階の点字が設けられている身障者用押しボタンと、を含むエレベータ制御盤と、前記エレベータ制御盤から入力される信号によって行き先階が登録され、登録された行き先階に向ってかごの昇降動作をさせると共に登録された行き先階においてかごのドアを開閉させるエレベータ制御部を備えるエレベータであって、前記エレベータ制御盤の前記身障者用押しボタンと前記健常者用押しボタンとは、前記身障者用押しボタンが押し下げられた場合には前記身障者用押しボタンと前記健常者用押しボタンとが連動して押し下げられ、前記健常者用押しボタンが押し下げられた場合には、前記健常者用押しボタンのみが押し下げられるように機械的に係合していること、を特徴とする。
【００１０】
本発明のエレベータにおいて、エレベータ制御部は、前記エレベータ制御盤から身障者用押しボタンが押し下げられた信号が入力された場合には、その行き先階を身障者運転階として登録し、健常者用押しボタンが押し下げられた場合には、その行き先階を健常者用運転階として登録し、前記エレベータ制御盤から身障者用押しボタンが押し下げられた信号が２回連続して入力された場合には、その行き先階の登録及びその階での身障者運転をキャンセルし、健常者用押しボタンが押し下げられた信号のみが２回連続して入力された場合には、その行き先階の登録のみをキャンセルすること、としても好適である。
【００１１】
本発明のエレベータにおいて、前記エレベータのかごの内部に取り付けられたスピーカを含み、前記エレベータ制御部は、前記エレベータ制御盤から身障者用押しボタンが押し下げられた信号が入力された場合には、前記スピーカから身障者用運転階として登録あるいはキャンセルされた行き先階のアナウンスを行うこと、としても好適である。
【発明の効果】
【００１２】
本発明は、身障者の行き先階ボタンの押し間違えを抑制し、エレベータの運転効率を向上させることができるという効果を奏する。
【図面の簡単な説明】
【００１３】
【図１】本発明の実施形態におけるエレベータのかごの内部を示す斜視図である。
【図２】本発明の実施形態におけるエレベータ操作盤の構成を示す説明図である。
【図３】本発明の実施形態におけるエレベータの制御系統を示す系統図である。
【図４】本発明の他の実施形態におけるエレベータ操作盤の構成を示す説明図である。
【発明を実施するための形態】
【００１４】
以下、本発明の実施形態について図面を参照しながら説明する。図１に示すように、本実施形態のエレベータ１００のかご１０は、床面パネル１１と内壁パネル１２と天井パネル１３とが組み合わされた箱型となっている。かご１０の一つの面には高速ドア１５、低速ドア１６がスライド可能に設けられている。各ドア１５，１６に隣接する袖壁１４のかご内面側には、エレベータ操作盤２０が取り付けられている。また、各ドア１５，１６の上方の鴨居部分にはエレベータの現在階と移動方向を示すインジケータ１８が取り付けられたインジケータパネル１７が取り付けられている。また、かご１０内部の上方には、かご１０の内部へのアナウンス用のスピーカ５３が取り付けられている。
【００１５】
図２に示すように、エレベータ操作盤２０は、基板２１と、基板２１の穴２１ａに嵌まりこみ、穴２１ａの深さ方向に上下動する身障者用押しボタン２４と、その上部が身障者用押しボタン２４に設けられた孔２６を貫通する健常者用押しボタン２２と、身障者用押しボタン２４の下面と基板２１の穴２１ａの底面との間に設けられた身障者側スイッチ２８と、健常者用押しボタン２２の下面と穴２１ａの底面との間に設けられた健常者側スイッチ２９とを含んでいる。身障者用押しボタン２４の孔２６の周縁の下面は健常者用押しボタン２２の上部に設けられた段部２７の上面と機械的に係合するよう構成されている。また、身障者用押しボタン２４の表面には選択する行き先階を示す点字２５が配置され、健常者用押しボタン２２の表面には選択する行き先階の数字２３が配置されている。健常者用押しボタン２２の内部には数字２３を照明するための光源２３ａが取り付けられている。
【００１６】
図３に示すように、本実施形態のエレベータ１００は、かご１０を昇降動作させる昇降用モータ５１と、かご１０の各ドア１５，１６を開閉するドア開閉用モータ５２と、各モータ５１，５２の回転速度、回転方向を制御するエレベータ制御部８０とを備えている。エレベータ制御部８０は、内部にＣＰＵとメモリとを含むコンピュータである。かご１０の中に設けられたエレベータ操作盤２０の各スイッチ２８，２９はエレベータ制御部８０に接続され、各スイッチ２８，２９からの信号はエレベータ制御部８０に入力される。また、かご１０の内部に配置されるスピーカ５３もエレベータ制御部８０に接続され、エレベータ制御部８０の指令によってアナウンスを行うよう構成されている。
【００１７】
以上のように構成されたエレベータ１００の動作について説明する。エレベータ１００がある階に停止し、各ドア１５，１６が開となった状態で利用者がかご１０に乗り込んでくる。そして、利用者がある行き先階の図２に示す身障者用押しボタン２４の点字２５の設けられている部分を押し下げると、身障者用押しボタン２４の設けられた孔２６の周縁が健常者用押しボタン２２の段部２７に係合し、身障者用押しボタン２４と共に健常者用押しボタン２２も一緒に押し下げられる。そして、身障者側スイッチ２８、健常者側スイッチ２９、健常者用押しボタン２２の光源２３ａがオンとなり、健常者用押しボタン２２が照明されると共に、各スイッチ２８，２９の信号が図３に示すエレベータ制御部８０に入力される。すると、エレベータ制御部８０はその行き先階を登録すると同時に登録された行き先階は身障者用動作を行う階であると認識する。そして、エレベータ制御部８０は、例えば、「３階に停止します」というように、身障者用押しボタン２４を押すことによって登録された行き先階のアナウンスを行う指令を出力する。この指令によって音声の合成が行われ、かご１０のスピーカ５３からかご１０の中にアナウンスが行われる。これによって、利用者が視覚障害者であった場合でも、容易に自分の押した押しボタンによって登録された行き先階を確認することができる。この際、自分が選択しようとしていた階と異なる階がアナウンスされた場合に、利用者は再度身障者用押しボタン２４を押し込むと、身障者側スイッチ２８及び健常者側スイッチ２９からの信号が２回連続してエレベータ制御部８０に入力されるので、エレベータ制御部８０は先の行き先階の登録をキャンセルし、その旨をスピーカ５３からアナウンスする。これによって利用者が視覚障害者であった場合でも、容易に行き先階がキャンセルされたことを確認することができる。そして、利用者は、再度、正しい行き先階の身障者用押しボタン２４を押すことによって新しい行き先階をエレベータ制御部８０に登録することができる。
【００１８】
行き先階が登録された後、所定の時間が経過すると、エレベータ制御部８０は、ドア閉指令を出力し、この指令によってドア開閉用モータ５２が始動し、各ドア１５，１６が閉となる。各ドア１５，１６が閉となったら、エレベータ制御部８０は、登録された行き先階に向ってかご１０を昇降させる指令を出力する。この指令によって、昇降用モータ５１が始動し、かご１０は登録された行き先階に向かって移動する。
【００１９】
登録された行き先階に近づいたらエレベータ制御部８０は、昇降用モータ５１の回転数を低下させ、ゆっくりと行き先階にかご１０を停止させる。この行き先階は、身障者用動作を行う階であることから、エレベータ制御部８０は、身障者用のゆっくりとした開スピードで各ドア１５，１６を開とする指令を出力する。この指令によってドア開閉用モータ５２が通常の回転数よりも遅い回転数で始動し、ゆっくりと各ドア１５，１６が開く。各ドア１５，１６が開いたら、エレベータ制御部８０はこの階が身障者用動作の階であることから通常の階状態の保持時間よりも長い時間だけ開保持を行う指令を出力する。そして、エレベータ制御部８０は、通常より長い所定の時間だけ各ドア１５，１６の開状態を保持し、所定の開保持時間が経過したら、ドア閉指令を出力する。この際、この行き先階は、身障者用動作を行う階であることから、エレベータ制御部８０は、身障者用のゆっくりとした閉スピードで各ドア１５，１６を閉とする指令を出力する。この指令によってドア開閉用モータ５２が通常の回転数よりも遅い回転数で始動し、ゆっくりと各ドア１５，１６が閉まる。
【００２０】
また、利用者がある行き先階の図２に示す健常者用押しボタン２２の数字２３の記載されている部分を押し下げると、健常者用押しボタン２２のみが下方向に押し下げられ、健常者側スイッチ２９と健常者用押しボタン２２の光源２３ａのみがオンとなり、健常者用押しボタン２２が照明されると共に、健常者側スイッチ２９の信号のみが図３に示すエレベータ制御部８０に入力される。この際、身障者側スイッチ２８はオンとならない。そして、健常者側スイッチ２９の信号が入力されると、エレベータ制御部８０はその行き先階が健常者用動作を行う階であるとして登録する。もし、利用者が間違った行き先階の健常者用押しボタン２２を押した場合には、利用者は再度健常者用押しボタン２２を押すと健常者側スイッチ２９のみからの信号が２回連続してエレベータ制御部８０に入力されるので、健常者用動作を行う階であると登録された行き先階をキャンセルすることができる。そして、再度正しい行き先階の健常者用押しボタン２２を押すことによって正しい行き先階をエレベータ制御部８０に登録することができる。
【００２１】
行き先階が登録された後、所定の時間が経過すると、先に述べたと同様、エレベータ制御部８０は各ドア１５，１６を閉とした後、行き先階に向ってかご１０を移動させ、登録された行き先階に停止させる。この行き先階は、健常者用動作を行う階であることから、エレベータ制御部８０は、通常の開スピードでドアを開とした後、通常の時間だけ開状態を保持し、その後通常のスピードで各ドア１５，１６を閉とする。
【００２２】
以上説明したように、本実施形態のエレベータ１００は、身障者用押しボタン２４の点字２５の部分を押すことによって行き先階の登録とその階が身障者用動作を行う階であることの登録とができ、健常者用押しボタン２２を押すことによって行き先階の登録とその階が健常者用動作を行う階であることを登録することができるので、身障者に適切な動作を行いつつ健常者に対するエレベータの運転効率を向上させることができるという効果を奏する。更に、身障者用押しボタン２４を押して行き先登録を行った際に、登録された行き先階のアナウンスを行うことにより、身障者の行き先階ボタンの押し間違えを抑制することができると共に、健常者に身障者が搭乗していることを認識させ、身障者に対する配慮を促すことができるという効果を奏する。また、本実施形態では、身障者用押しボタン２４は点字２５のある部分を押し下げることによって行き先階の選択を行うことができるので、身障者が行き先階の選択を間違えることを抑制することができる。
【００２３】
以下、図４を参照しながら本発明の他の実施形態について説明する。図１から図３を参照して説明した部分と同様の部分については同様の符号を付して説明は省略する。図４に示すように、本実施形態では、身障者用押しボタン３４と健常者用押しボタン３２が隣接して配置されており、身障者用押しボタン３４の側面には上部が健常者用押しボタン３２に向って突出した段部３６が設けられ、段部３６に対向する健常者用押しボタン３２の側面には段部３６の下側で身障者用押しボタン３４に向って突出する段部３７が設けられている。また、身障者用押しボタン３４の表面には点字３５が配置され、健常者用押しボタン３２の表面には行き先階を示す数字３３が取り付けられている。身障者用押しボタン３４の底面と基板２１の穴２１ａの底面の間には身障者側スイッチ２８が取り付けられ、健常者用押しボタン３２の底面と基板２１の穴２１ａの底面との間には健常者側スイッチ２９が設けられている。
【００２４】
本実施形態も先に図１から図３を参照して説明した実施形態と同様、身障者用押しボタン３４を押すと、身障者用押しボタン３４の段部３６が健常者用押しボタン３２の段部３７に係合して、健常者用押しボタン３２を一緒に押し下げ、身障者側スイッチ２８と健常者側スイッチ２９とが共にオンとなり、その行き先階が身障者用動作を行う階であることがエレベータ制御部８０に登録され、その旨がスピーカ５３からアナウンスされる。また、健常者用押しボタン３２を押すと健常者側スイッチ２９のみがオンとなり、その行き先階が健常者用動作を行う階であることがエレベータ制御部８０に登録される。身障者用押しボタン３４を続けて２回押すと身障者側スイッチ２８と健常者側スイッチ２９とが共に２回連続してオンとなり、先の行き先階の登録とその階が身障者用動作を行う階の登録とをキャンセルしてその旨をスピーカ５３からアナウンスし、健常者用押しボタン３２を続けて２回押すと、健常者側スイッチ２９のみが２回連続してオンとなり先の行き先階の登録をキャンセルする。
【００２５】
本実施形態は先に説明した実施形態より簡便な構成で同様の効果を奏する。
【符号の説明】
【００２６】
１０  かご、１１  床面パネル、１２  内壁パネル、１３  天井パネル、１４  袖壁、１５  高速ドア、１６  低速ドア、１７  インジケータパネル、１８  インジケータ、２０  エレベータ操作盤、２１  基板、２１ａ  穴、２２，３２  健常者用押しボタン、２３，３３  数字、２３ａ  光源、２４，３４  身障者用押しボタン、２５，３５  点字、２６  孔、２７，３６，３７  段部、２８  身障者側スイッチ、２９  健常者側スイッチ、５１  昇降用モータ、５２  ドア開閉用モータ、５３  スピーカ、８０  エレベータ制御部、１００  エレベータ。
【図１】
2012218816.tif 000003
【図２】
2012218816.tif 000004
【図３】
2012218816.tif 000005
【図４】
2012218816.tif 000006